(57)【特許請求の範囲】
【請求項１】
端末デバイスがネットワークデバイスにスケジューリング要求情報を送信することと、
前記端末デバイスが前記ネットワークデバイスから上りリソース許可情報を受信することと、
前記端末デバイスが前記上りリソース許可情報に応じて、ターゲット上りリソースを利用してデータを伝送することとを含み、
前記スケジューリング要求情報は、前記端末デバイスの伝送データのサービスタイプ、前記端末デバイスが要する上りリソースのリソース量の大きさ、又は前記端末デバイスがサポートするベースパラメータセットタイプを示し、
前記上りリソース許可情報は、前記端末デバイスに割り当てる前記ターゲット上りリソースを示し、前記上りリソース許可情報は、前記スケジューリング要求情報に基づいて確定されたものであり、
前記スケジューリング要求情報のタイプは、前記端末デバイスの伝送データのサービスタイプ又は前記端末デバイスがサポートするベースパラメータタイプを示し、前記端末デバイスがネットワークデバイスにスケジューリング要求情報を送信する前に、さらに、
前記端末デバイスは、前記端末デバイスの伝送データのサービスタイプ又は前記端末デバイスがサポートするベースパラメータタイプに基づいて、前記スケジューリング要求情報のタイプを確定することを含む
ことを特徴とするデータ伝送方法。
【請求項２】
前記スケジューリング要求情報のタイプを確定することは、
前記端末デバイスは、前記端末デバイスの伝送データのサービスタイプ又は前記端末デバイスがサポートするベースパラメータタイプに基づいて、前記スケジューリング要求情報のビット数を確定することを含む
ことを特徴とする請求項１に記載のデータ伝送方法。
【請求項３】
前記伝送データのサービスタイプは、多種の伝送データのサービスタイプを含む
ことを特徴とする請求項１又は２に記載のデータ伝送方法。
【請求項４】
前記上りリソース許可情報は、動的優先度指示情報を含み、前記動的優先度指示情報は、少なくとも１つの論理チャンネルの優先度情報を示し、前記少なくとも１つの論理チャンネルは、異なるサービスタイプのデータをそれぞれ搬送するために用いられ、
前記端末デバイスが前記上りリソース許可情報に応じて、前記ターゲット上りリソースを利用してデータを伝送することは、
前記端末デバイスが前記少なくとも１つの論理チャンネルの優先度情報に基づいて、前記ターゲット上りリソースを利用して論理チャンネルに搬送されるデータを伝送することを含む
ことを特徴とする請求項１〜３のいずれか１項に記載のデータ伝送方法。
【請求項５】
前記少なくとも１つの論理チャンネルの優先度情報は、動的に構成されたものである
ことを特徴とする請求項４に記載のデータ伝送方法。
【請求項６】
ネットワークデバイスが端末デバイスからスケジューリング要求情報を受信することと、
前記端末デバイスが上りリソース許可情報に応じてターゲット上りリソースを利用してデータを伝送するように、前記ネットワークデバイスが前記端末デバイスに前記上りリソース許可情報を送信することとを含み、
前記スケジューリング要求情報は、前記端末デバイスの伝送データのサービスタイプ、前記端末デバイスが要する上りリソースのリソース量の大きさ、又は前記端末デバイスがサポートするベースパラメータセットタイプを示し、
前記上りリソース許可情報は、前記端末デバイスに割り当てる前記ターゲット上りリソースを示し、前記上りリソース許可情報は、前記スケジューリング要求情報に基づいて確定されたものであり、
前記スケジューリング要求情報のタイプは、前記端末デバイスの伝送データのサービスタイプ又は前記端末デバイスがサポートするベースパラメータタイプを示し、前記方法は、さらに、
前記ネットワークデバイスが前記スケジューリング要求情報のタイプに基づいて、前記端末デバイスの伝送データのサービスタイプ又は前記端末デバイスがサポートするベースパラメータタイプを確定することを含む
ことを特徴とするデータ伝送方法。
【請求項７】
前記ネットワークデバイスが前記スケジューリング要求情報のタイプに基づいて、前記端末デバイスの伝送データのサービスタイプ又は前記端末デバイスがサポートするベースパラメータタイプを確定することは、
前記ネットワークデバイスが前記スケジューリング要求情報のビット数に基づいて、前記端末デバイスの伝送データのサービスタイプ又は前記端末デバイスがサポートするベースパラメータタイプを確定することを含む
ことを特徴とする請求項６に記載のデータ伝送方法。
【請求項８】
前記伝送データのサービスタイプは、多種の伝送データのサービスタイプを含む
ことを特徴とする請求項６又は７に記載のデータ伝送方法。
【請求項９】
前記上りリソース許可情報は、動的優先度指示情報を含み、前記動的優先度指示情報は、少なくとも１つの論理チャンネルの優先度情報を示し、前記少なくとも１つの論理チャンネルは、異なるサービスタイプのデータをそれぞれ搬送するために用いられる
ことを特徴とする請求項６〜８のいずれか１項に記載のデータ伝送方法。
【請求項１０】
前記少なくとも１つの論理チャンネルの優先度情報は、動的に構成されたものである
ことを特徴とする請求項９に記載のデータ伝送方法。
【請求項１１】
請求項１〜５のいずれか１項に記載のデータ伝送方法を実行するように構成される、端末デバイス。
【請求項１２】
請求項６〜１０のいずれか１項に記載のデータ伝送方法を実行するように構成される、ネットワークデバイス。
【請求項１３】
コンピュータ装置に請求項１〜１０のいずれか１項に記載のデータ伝送方法を実行させるための命令を含む、ソフトウェア。
【発明の詳細な説明】
【技術分野】
【０００１】
本願の実施例は、通信分野に関し、具体的に、データ伝送方法及び装置に関する。
【背景技術】
【０００２】
ロング・ターム・エボリューション（ＬＴＥ：Ｌｏｎｇ  Ｔｅｒｍ  Ｅｖｏｌｕｔｉｏｎ）システムにおいて、多くのデータチャネルは、ネットワーク側のスケジューリングに基づくデータ伝送方式を採用している。図１に示すように、ネットワーク側のスケジューリングに基づくデータ伝送は、端末デバイスがスケジューリング要求（ＳＲ：Ｓｃｈｅｄｕｌｉｎｇ  ｒｅｑｕｅｓｔ）情報を送信する第１のステップと、ネットワークデバイスが端末デバイスのスケジューリング要求情報に基づいて端末デバイスに上りリソース許可（ＵＧ：Ｕｐｌｉｎｋ  ｇｒａｎｔ）情報を送信する第２のステップと、端末デバイスが上りリソース許可情報に基づいて対応する上りリソースにおいて上りデータを伝送し、端末デバイスのバッファーに余剰のデータがある場合、上りリソースを継続して利用し、当該データチャネルにおいてバッファー状態レポート（ＢＳＲ：Ｂｕｆｆｅｒ  ｓｔａｔｕｓ  ｒｅｐｏｒｔ）情報を送信する第３のステップと、端末デバイスがスケジューリング要求情報を送信しないまで、ネットワークデバイスがバッファー状態レポート情報に基づいて上りリソース許可を送信する第４のステップと、を含む。
【０００３】
上記のデータ伝送方式において、端末デバイスは、データ伝送において、あるデータパケットを破棄してバッファー状態レポート情報を優先して伝送することがある。この課題は、遅延の感度の高いサービスに与える影響が大きく、当該サービスの遅延要求を満たさないことがある。例えば、超高信頼性および低遅延通信（ＵＲＬＬＣ：Ｕｌｔｒａ−ｒｅｌｉａｂｌｅ  ａｎｄ  ｌｏｗ  ｌａｔｅｎｃｙ  ｃｏｍｍｕｎｉｃａｔｉｏｎｓ）サービスである。
【発明の概要】
【０００４】
本願は、データ伝送の効率を向上させるデータ伝送方法及び装置を提供する。
【０００５】
第１の形態は、データ伝送方法を提供し、端末デバイスがネットワークデバイスにスケジューリング要求情報を送信することと、前記端末デバイスが前記ネットワークデバイスから上りリソース許可情報を受信することと、前記端末デバイスが上りリソース許可情報に応じて、前記ターゲット上りリソースを利用してデータを伝送することとを含み、前記スケジューリング要求情報は、前記端末デバイスの伝送データのサービスタイプ、前記端末デバイスが要する上りリソースのリソース量の大きさ、又は前記端末デバイスがサポートするベースパラメータセットタイプを含み、前記上りリソース許可情報は、前記端末デバイスに割り当てるターゲット上りリソースを示し、前記上りリソース許可情報は、前記スケジューリング要求情報に基づいて確定されたものである。
【０００６】
本願の実施例において、端末デバイスがネットワークデバイスに送信したスケジューリング要求情報には、端末デバイスの伝送データのサービスタイプ、端末デバイスが要する上りリソースのリソース量の大きさ、又は端末デバイスがサポートするベースパラメータセットタイプが含まれ、これによって、ネットワークデバイスは、スケジューリング要求情報に基づいて、端末デバイスにターゲット上りリソースを適当に割り当て、上りリソースの割り当ての効率を向上させる。
【０００７】
１つの実現可能な形態において、前記スケジューリング要求情報のタイプは、前記端末デバイスの伝送データのサービスタイプ又は前記端末デバイスがサポートするベースパラメータタイプを示し、前記端末デバイスがネットワークデバイスにスケジューリング要求情報を送信する前に、さらに、前記端末デバイスは、前記端末デバイスの伝送データのサービスタイプ又は前記端末デバイスがサポートするベースパラメータタイプに基づいて、前記スケジューリング要求情報のタイプを確定することを含む。
【０００８】
本願の実施例において、端末デバイスが上りリソースに対する要求に応じて、端末デバイスに異なるタイプのスケジューリング要求情報が構成され、端末デバイスの伝送データのサービスタイプ、端末デバイスが要する上りリソースのリソース量の大きさ、又は端末デバイスがサポートするベースパラメータセットタイプをネットワークデバイスに提供して、ネットワークデバイスは、端末デバイスにターゲット上りリソースを適当に割り当て、上りリソースの割り当ての効率を向上させる。
【０００９】
１つの実現可能な形態において、前記スケジューリング要求情報のタイプを確定することは、前記端末デバイスは、前記端末デバイスの伝送データのサービスタイプ又は前記端末デバイスがサポートするベースパラメータタイプに基づいて、前記スケジューリング要求情報のビット数を確定することを含む。
【００１０】
本願の実施例において、異なるヒット数のスケジューリング要求情報を構成して端末デバイスが上りリソースに対する異なる要求を示すことで、シグナリングオーバーヘッドの適当な割り当てを実現する。さらに、スケジューリング要求情報のビット数で端末デバイスの伝送データのサービスタイプ又は前記端末デバイスがサポートするベースパラメータタイプを暗示することで、シグナリングオーバーヘッドを節約することができる。
【００１１】
１つの実現可能な形態において、前記伝送データのサービスタイプは、多種の伝送データのサービスタイプを含む。
【００１２】
本願の実施例において、スケジューリング要求情報は多種の伝送データのサービスタイプを示して、ネットワークデバイスが上りリソースを柔軟に割り当て、スケジューリング要求情報の柔軟性を向上させる。
【００１３】
１つの実現可能な形態において、前記上りリソース許可情報は、動的優先度指示情報を含み、前記動的優先度指示情報は、少なくとも１つの論理チャンネルの優先度情報を示し、前記少なくとも１つの論理チャンネルは、異なるサービスタイプのデータをそれぞれ搬送するために用いられ、前記端末デバイスが前記上りリソース許可情報に応じて、前記ターゲット上りリソースを利用してデータを伝送することは、前記端末デバイスが前記少なくとも１つの論理チャンネルの優先度情報に基づいて、前記ターゲット上りリソースを利用して論理チャンネルに搬送されるデータを伝送することを含む。
【００１４】
本願の実施例において、上りリソース許可情報に動的優先度指示情報が含まれて、少なくとも１つの論理チャンネルの優先度情報を示し、当該少なくとも１つの論理チャンネルに異なるサービスタイプのデータが搬送され、これによって、端末デバイスは、当該優先度情報に基づいて、割り当てたターゲット上りリソースを利用してサービスタイプのデータが搬送される論理チャンネルを伝送し、上りリソース許可情報のスケジューリングの柔軟性を向上させ、伝送上りリソースの効率を向上する。
【００１５】
１つの実現可能な形態において、前記少なくとも１つの論理チャンネルの優先度情報は、動的に構成されたものである。
【００１６】
第２の形態は、データ伝送方法を提供し、ネットワークデバイスが端末デバイスからスケジューリング要求情報を受信することと、前記ネットワークデバイスが前記端末デバイスに上りリソース許可情報を送信することと、前記端末デバイスが前記上りリソース許可情報に応じて前記ターゲット上りリソースを利用してデータを伝送することとを含み、前記スケジューリング要求情報は、前記端末デバイスの伝送データのサービスタイプ、前記端末デバイスが要する上りリソースのリソース量の大きさ、又は前記端末デバイスがサポートするベースパラメータセットタイプを含み、前記上りリソース許可情報は、前記端末デバイスに割り当てるターゲット上りリソースを示し、前記上りリソース許可情報は、前記スケジューリング要求情報に基づいて確定されたものである。
【００１７】
本願の実施例において、ネットワークデバイスが端末デバイスから受信したスケジューリング要求情報には、端末デバイスの伝送データのサービスタイプ、端末デバイスが要する上りリソースのリソース量の大きさ又は端末デバイスがサポートするベースパラメータセットタイプが含まれ、ネットワークデバイスは、スケジューリング要求情報に基づいて、端末デバイスにターゲット上りリソースを適当に割り当て、上りリソースの割り当ての効率を向上させる。
【００１８】
１つの実現可能な形態において、前記スケジューリング要求情報のタイプは、前記端末デバイスの伝送データのサービスタイプ又は前記端末デバイスがサポートするベースパラメータタイプを示し、前記方法は、前記ネットワークデバイスが前記スケジューリング要求情報のタイプに基づいて、前記端末デバイスの伝送データのサービスタイプ又は前記端末デバイスがサポートするベースパラメータタイプを確定することを含む。
【００１９】
１つの実現可能な形態において、前記ネットワークデバイスが前記スケジューリング要求情報のタイプに基づいて、前記端末デバイスの伝送データのサービスタイプ又は前記端末デバイスがサポートするベースパラメータタイプを確定することは、前記ネットワークデバイスが前記スケジューリング要求情報のビット数に基づいて、前記端末デバイスの伝送データのサービスタイプ又は前記端末デバイスがサポートするベースパラメータタイプを確定することを含む。
【００２０】
１つの実現可能な形態において、前記伝送データのサービスタイプは、多種の伝送データのサービスタイプを含む。
【００２１】
１つの実現可能な形態において、前記上りリソース許可情報は、動的優先度指示情報を含み、前記動的優先度指示情報は、少なくとも１つの論理チャンネルの優先度情報を示し、前記少なくとも１つの論理チャンネルは、異なるサービスタイプのデータをそれぞれ搬送するために用いられる。
【００２２】
１つの実現可能な形態において、前記少なくとも１つの論理チャンネルの優先度情報は、動的に構成されたものである。
【００２３】
第３の形態は、データ伝送方法を提供し、端末デバイスがネットワークデバイスにより送信された上りリソース許可情報を受信することと、前記端末デバイスが前記少なくとも１つの論理チャンネルの優先度情報に基づいて、前記ターゲット上りリソースを利用して論理チャンネルに搬送されるデータを伝送することとを含み、前記上りリソース許可情報は、前記端末デバイスに割り当てるターゲット上りリソースを示し、前記上り許可情報は、動的優先度指示情報を含み、前記動的優先度指示情報は、少なくとも１つの論理チャンネルの優先度情報を示し、前記少なくとも１つの論理チャンネルは、異なるサービスタイプのデータをそれぞれ搬送するために用いられる。
【００２４】
本願の実施例において、上りリソース許可情報に動的優先度指示情報が含まれて、少なくとも１つの論理チャンネルの優先度情報を示し、当該少なくとも１つの論理チャンネルに異なるサービスタイプのデータが搬送され、これによって、端末デバイスは、当該優先度情報に基づいて、割り当てたターゲット上りリソースを利用してサービスタイプのデータが搬送される論理チャンネルを伝送し、上りリソース許可情報のスケジューリングの柔軟性を向上させ、伝送上りリソースの効率を向上する。
【００２５】
１つの実現可能な形態において、前記少なくとも１つの論理チャンネルの優先度情報は、動的に構成されたものである。
【００２６】
第４の形態は、データ伝送方法を提供し、前記端末デバイスが前記ターゲット上りリソースを利用して論理チャンネルに搬送されるデータを伝送するように、ネットワークデバイスが端末デバイスに上りリソース許可情報を送信することを含み、前記上りリソース許可情報は、前記端末デバイスに割り当てるターゲット上りリソースを示し、前記上り許可情報は、動的優先度指示情報を含み、前記動的優先度指示情報は、少なくとも１つの論理チャンネルの優先度情報を示し、前記少なくとも１つの論理チャンネルは、異なるサービスタイプのデータをそれぞれ搬送するために用いられる。
【００２７】
本願の実施例において、上りリソース許可情報に動的優先度指示情報が含まれて、少なくとも１つの論理チャンネルの優先度情報を示し、当該少なくとも１つの論理チャンネルに異なるサービスタイプのデータが搬送され、これによって、端末デバイスは、当該優先度情報に基づいて、割り当てたターゲット上りリソースを利用してサービスタイプのデータが搬送される論理チャンネルを伝送し、上りリソース許可情報のスケジューリングの柔軟性を向上させ、伝送上りリソースの効率を向上する。
【００２８】
１つの実現可能な形態において、前記少なくとも１つの論理チャンネルの優先度情報は、動的に構成されたものである。
【００２９】
第５の形態は、上記の第１の形態又は第１の形態の任意の可能な実施形態の方法を実行する端末デバイスを提供する。具体的に、当該端末デバイスは、上記の第１の形態又は第１の形態の任意の可能な実施形態の方法を実行するためのユニットを含む。
【００３０】
第６の形態は、上記の第２の形態又は第２の形態の任意の可能な実施形態の方法を実行するネットワークデバイスを提供する。具体的に、当該ネットワークデバイスは、上記の第２の形態又は第２の形態の任意の可能な実施形態の方法を実行するためのユニットを含む。
【００３１】
第７の形態は、上記の第３の形態又は第３の形態の任意の可能な実施形態の方法を実行する端末デバイスを提供する。具体的に、当該端末デバイスは、上記の第３の形態又は第３の形態の任意の可能な実施形態の方法を実行するためのユニットを含む。
【００３２】
第８の形態は、上記の第４の形態又は第４の形態の任意の可能な実施形態の方法を実行するネットワークデバイスを提供する。具体的に、当該ネットワークデバイスは、上記の第４の形態又は第４の形態の任意の可能な実施形態の方法を実行するためのユニットを含む。
【００３３】
第９形態は、通信システムを提供し、前記通信システムは、上記の第５の形態の端末デバイス及び上記の第６の形態のネットワークデバイスを含む。
【００３４】
第１０形態は、通信システムを提供し、前記通信システムは、上記の第７の形態の端末デバイス及び上記の第８の形態のネットワークデバイスを含む。
【００３５】
第１１の形態は、プログラムを記憶するためのメモリと、他のデバイスと通信するための通信インターフェースと、メモリ内のプログラムを実行するためのプロセッサとを含む端末デバイスを提供し、前記プログラムが実行される場合、前記プロセッサが第１の形態の方法を実行する。
【００３６】
第１２の形態は、プログラムを記憶するためのメモリと、他のデバイスと通信するための通信インターフェースと、メモリ内のプログラムを実行するためのプロセッサとを含むネットワークデバイスを提供し、前記プログラムが実行される場合、前記プロセッサが第２の形態の方法を実行する。
【００３７】
第１３の形態は、プログラムを記憶するためのメモリと、他のデバイスと通信するための通信インターフェースと、メモリ内のプログラムを実行するためのプロセッサとを含む端末デバイスを提供し、前記プログラムが実行される場合、前記プロセッサが第３の形態の方法を実行する。
【００３８】
第１４の形態は、プログラムを記憶するためのメモリと、他のデバイスと通信するための通信インターフェースと、メモリ内のプログラムを実行するためのプロセッサとを含むネットワークデバイスを提供し、前記プログラムが実行される場合、前記プロセッサが第４の形態の方法を実行する。
【００３９】
第１５の形態は、上記の第１１の形態の端末デバイス及び上記の第１２の形態のネットワークデバイスを含む通信システムを提供する。
【００４０】
第１６の形態は、上記の第１１の形態の端末デバイス及び上記の第１２の形態のネットワークデバイスを含む通信システムを提供する。
【図面の簡単な説明】
【００４１】
【図１】本願の実施例におけるデータ伝送方法の模式図である。
【図２】本願の実施例の応用シーンの図である。
【図３】本願の他の実施例におけるデータ伝送方法の模式図である。
【図４】本願の他の実施例におけるデータ伝送方法の模式図である。
【図５】本願の実施例における端末デバイスの構成の模式図である。
【図６】本願の実施例におけるネットワークデバイスの構成の模式図である。
【図７】本願の他の実施例における端末デバイスの構成の模式図である。
【図８】本願の他の実施例における端末デバイスの構成の模式図である。
【図９】本願の他の実施例における端末デバイスの構成の模式図である。
【図１０】本願の他の実施例における端末デバイスの構成の模式図である。
【図１１】本願の他の実施例における端末デバイスの構成の模式図である。
【図１２】本願の他の実施例における端末デバイスの構成の模式図である。
【発明を実施するための形態】
【００４２】
以下、図面を基づいて、本発明の実施例に係る技術案を説明する。
【００４３】
なお、本発明の実施例における技術的解決策は様々な通信システム、例えばグローバル移動体通信（ＧＳＭ：Ｇｌｏｂａｌ  Ｓｙｓｔｅｍ  ｏｆ  Ｍｏｂｉｌｅ  Ｃｏｍｍｕｎｉｃａｔｉｏｎ）システム、符号分割多元接続（ＣＤＭＡ：Ｃｏｄｅ  Ｄｉｖｉｓｉｏｎ  Ｍｕｌｔｉｐｌｅ  Ａｃｃｅｓｓ）システム、広帯域符号分割多元接続（ＷＣＤＭＡ：Ｗｉｄｅｂａｎｄ  Ｃｏｄｅ  Ｄｉｖｉｓｉｏｎ  Ｍｕｌｔｉｐｌｅ  Ａｃｃｅｓｓ）汎用パケット無線サービス（ＧＰＲＳ：Ｇｅｎｅｒａ１  Ｐａｃｋｅｔ  Ｒａｄｉｏ  Ｓｅｒｖｉｃｅ）システム、長期進化型（ＬＴＥ：Ｌｏｎｇ  Ｔｅｒｍ  Ｅｖｏｌｕｔｉｏｎ）システム、ＬＴＥ周波数分割複信（ＦＤＤ：Ｆｒｅｑｕｅｎｃｙ  Ｄｉｖｉｓｉｏｎ  Ｄｕｐｌｅｘ）システム、ＬＴＥ時間分割複信（ＴＤＤ：Ｔｉｍｅ  Ｄｉｖｉｓｉｏｎ  Ｄｕｐｌｅｘ）、ユニバーサル移動通信システム（ＵＭＴＳ：Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）、ワイマックス（ＷｉＭＡＸ：Ｗｏｒｌｄｗｉｄｅ  Ｉｎｔｅｒｏｐｅｒａｂｉｌｉｔｙ  ｆｏｒ  Ｍｉｃｒｏｗａｖｅ Ａｃｃｅｓｓ）通信システム、新しいラジオ（ＮＲ：Ｎｅｗ  Ｒａｄｉｏ）システム（又は、５Ｇシステム）、４．５Ｇシステムなどに応用されることができる。
【００４４】
本願の実施例に係る端末デバイスは、無線通信機能を有する各種の携帯機器、車載の移動装置、ウェアラブルデバイス、コンピューターデバイス又は無線モデムに接続される他の処理デバイス、ユーザ装置（ＵＥ：Ｕｓｅｒ  Ｅｑｕｉｐｍｅｎｔ）、移動局（ＭＳ：Ｍｏｂｉｌｅ Ｓｔａｔｉｏｎ）、端末（ｔｅｒｍｉｎａｌ）、端末デバイス（ｔｅｒｍｉｎａｌ  ｄｅｖｉｃｅ）等を含む。説明を簡潔するために、本願の実施例において、以上のデバイスを端末デバイスと呼ぶ。
【００４５】
本願の実施例におけるネットワークデバイスは、端末デバイスと通信するデバイスであり、ＧＳＭ又はＣＤＭＡの基地局（ＢＴＳ：Ｂａｓｅ  Ｔｒａｎｓｃｅｉｖｅｒ  Ｓｔａｔｉｏｎ）、ＷＣＤＭＡシステムの基地局（ＮＢ：ＮｏｄｅＢ）、ＬＴＥシステムの進化型基地局（Ｅｖｏｌｕｔｉｏｎａｌ  ＮｏｄｅＢ、ｅＮＢ又はｅＮｏｄｅＢ）、クラウド無線アクセスネットワーク（ＣＲＡＮ：Ｃｌｏｕｄ  Ｒａｄｉｏ  Ａｃｃｅｓｓ  Ｎｅｔｗｏｒｋ）のワイヤレスコントローラー、中継局、アクセスポイント、車載機器、又はウェアラブル機器であっても良いが、本願の実施例はこれを限定しない。
【００４６】
図２は本願の実施例の応用シーンの模式図である。図２に示すように、端末デバイスとネットワークデバイスとが通信する。端末デバイスがネットワークデバイスにスケジューリング要求情報を送信し、ネットワークデバイスがスケジューリング要求情報を受信してから、スケジューリング要求情報基づいて、端末デバイスに上りリソース許可情報を送信し、当該上りリソース許可情報は、端末デバイスに割り当てる上りリソースを示し、端末デバイスが上りリソース許可情報を受信してから、上りリソース許可情報が示す上りリソースを利用して上りデータを伝送する。
【００４７】
図３は本願の実施例におけるデータ伝送方法１００の模式図である。方法１００は、端末デバイス及びネットワークデバイスにより実行する。図３に示すように、方法１００は、Ｓ１０１〜Ｓ１０３を含む。
【００４８】
Ｓ１０１において、端末デバイスがネットワークデバイスにスケジューリング要求情報を送信し、前記スケジューリング要求情報は、前記端末デバイスの伝送データのサービスタイプ、前記端末デバイスが要する上りリソースのリソース量の大きさ、又は前記端末デバイスがサポートするベースパラメータセットタイプを含む。前記ネットワークデバイスは、前記スケジューリング要求情報を受信する。
【００４９】
例えば、スケジューリング要求情報は、端末デバイスの伝送データのサービスタイプ、端末デバイスが要する上りリソースのリソース量の大きさ、又は端末デバイスがサポートするベースパラメータセットタイプを異なるビットを利用して示すことで、ネットワークデバイスは、端末デバイスのサービスを判断して、端末デバイスに適当なターゲット上りリソースに割り当てる。
【００５０】
なお、前記端末デバイスが要する上りリソースのリソース量の大きさは、複数の方式で示すことができ、例えば、前記端末デバイスが伝送するデータのデータ量の大きさ又はサービス量の大きさを利用して、前記端末デバイスが要する上りリソースのリソース量の大きさを示す。
【００５１】
Ｓ１０２において、前記端末デバイスが前記ネットワークデバイスから上りリソース許可情報を受信し、前記上りリソース許可情報は、前記端末デバイスに割り当てるターゲット上りリソースを示し、前記上りリソース許可情報は、前記スケジューリング要求情報に基づいて確定されたものである。
【００５２】
Ｓ１０３において、前記端末デバイスが前記上りリソース許可情報に応じて、前記ターゲット上りリソースを利用してデータを伝送する。前記ネットワークデバイスが前記データを受信する。
【００５３】
本願の実施例において、端末デバイスがネットワークデバイスに送信したスケジューリング要求情報には、端末デバイスの伝送データのサービスタイプ、端末デバイスが要する上りリソースのリソース量の大きさ、又は端末デバイスがサポートするベースパラメータセットタイプが含まれ、これによって、ネットワークデバイスは、スケジューリング要求情報に基づいて、端末デバイスにターゲット上りリソースを適当に割り当て、上りリソースの割り当ての効率を向上させる。
【００５４】
選択可能で、異なるタイプの端末デバイスが送信するスケジューリング要求情報のタイプは、相異する。
【００５５】
選択可能で、前記スケジューリング要求情報のタイプは、前記端末デバイスの伝送データのサービスタイプ又は前記端末デバイスがサポートするベースパラメータタイプを示し、前記端末デバイスがネットワークデバイスにスケジューリング要求情報を送信する前に、さらに、前記端末デバイスは、前記端末デバイスの伝送データのサービスタイプ又は前記端末デバイスがサポートするベースパラメータタイプに基づいて、前記スケジューリング要求情報のタイプを確定することを含む。
【００５６】
本願の実施例において、端末デバイスが上りリソースに対する要求に応じて、端末デバイスに異なるタイプのスケジューリング要求情報が構成され、端末デバイスの伝送データのサービスタイプ、端末デバイスが要する上りリソースのリソース量の大きさ又は端末デバイスがサポートするベースパラメータセットタイプをネットワークデバイスに提供し、ネットワークデバイスは、端末デバイスにターゲット上りリソースを適当に割り当て、上りリソースの割り当ての効率を向上させる。
【００５７】
選択可能で、上記の端末デバイスのタイプは、複数の分ける方式がある。
【００５８】
１つの例として、伝送データのサービスタイプによって、端末デバイスのタイプを分ける。例えば、ｅＭＢＢ（ｅｎｈａｎｃｅｄ  Ｍｏｂｉｌｅ  Ｂｒｏａｄｂａｎｄ）サービスのみを要求する端末デバイスと、ＵＲＬＬＣサービスのみを要求する端末デバイスと、ｅＭＢＢサービス及びＵＲＬＬＣサービスの両方を要求する端末デバイスとを分ける。
【００５９】
他の１つの例として、端末デバイスがサポートするベースパラメータセットによって、端末デバイスを分ける。例えば、単一タイプのベースパラメータセットをサポートする端末デバイスと、多種のベースパラメータセットをサポートする端末デバイスとを分ける。
【００６０】
選択可能で、前記ネットワークデバイスが前記スケジューリング要求情報のタイプに基づいて、前記端末デバイスの伝送データのサービスタイプ又は前記端末デバイスがサポートするベースパラメータタイプを確定することは、前記ネットワークデバイスが前記スケジューリング要求情報のビット数に基づいて、前記端末デバイスの伝送データのサービスタイプ又は前記端末デバイスがサポートするベースパラメータタイプを確定することを含む。
【００６１】
異なるタイプの端末デバイスが送信するスケジューリング要求情報のタイプは、異なり、例えば、異なるタイプの端末デバイスが送信するスケジューリング要求情報のビット数は、異なる。
【００６２】
前記スケジューリング要求情報のビット数は、端末デバイスの異なる伝送データのサービスタイプ、又は前記端末デバイスがサポートする異なるベースパラメータタイプを示すことができる。
【００６３】
本願の実施例において、異なるヒット数のスケジューリング要求情報を構成して端末デバイスが上りリソースに対する異なる要求を示すことで、シグナリングオーバーヘッドの適当な割り当てを実現する。さらに、要求情報のビット数をスケジューリングして端末の伝送するデータのサービスタイプ又は前記端末デバイスがサポートするベースパラメータタイプを隠して示すことで、シグナリングオーバーヘッドを節約することができる。
【００６４】
異なるタイプのスケジューリング要求情報は、異なるビット数を含む。例えば、１ビット、２ビット又は複数のビットであっても良い。スケジューリング要求情報のビット数は、実現する時に物理制御チャネルの複雑さ又はオーバーヘッドによって決定されても良い。
【００６５】
選択可能で、スケジューリング要求情報のビット数は、異なる伝送データのサービスタイプ又は端末デバイスがサポートする異なるベースパラメータタイプを示す。
【００６６】
本願の実施例において、スケジューリング要求情報のビット数で端末デバイスの伝送データのサービスタイプ又は前記端末デバイスがサポートするベースパラメータタイプを隠して示すことで、シグナリングオーバーヘッドを節約することができる。
【００６７】
１つの例として、スケジューリング要求情報が１ビットを含む場合、当該スケジューリング要求情報は、単一のサービス請求を示す。端末デバイスのサービス量が所定のサービス量閾値の以下であることを「０」で示し、端末デバイスが伝送するデータのサービス量が所定のサービス量閾値の以下であることを「１」で示す。
【００６８】
選択可能で、スケジューリング要求情報が２ビットを含む場合、当該スケジューリング要求情報は、複数のサービス要求を示す。例えば、２ビットが２つのタイプのサービスを示す。ここで、００,０１は、端末デバイスが伝送する第１のサービスタイプのデータ量の大きさに対応し、１１,１０は端末デバイスが伝送する第２のサービスタイプのデータ量の大きさを示す。
【００６９】
選択可能で、スケジューリング要求情報は、これよりも多いビットを含む場合、詳しいサービスタイプ又は端末デバイスがサポートするベースパラメータセットのタイプ示し、さらに、当該サービスタイプに対応する伝送データのデータ量の大きさを示す。
【００７０】
なお、上記の端末デバイスのサービス量又は端末デバイスが伝送するサービスタイプのデータ量の大きさは、端末デバイスが要求する上りリソースのリソース量の大きさと同じ又は同様である。つまり、上記の端末デバイスのサービス量又は端末デバイスが伝送するデータ量の大きさは、端末デバイスが要求する上りリソースのリソース量の大きさを示す。
【００７１】
上記のサービス量閾値は、ネットワーク側の上位レイヤのシグナリングにより構成されても良い。例えば、無線リソース制御（ＲＲＣ：Ｒａｄｉｏ  Ｒｅｓｏｕｒｃｅ  Ｃｏｎｔｒｏｌ）シグナリングである。
【００７２】
上記のサービス量の閾値の大きさは、状況に応じて調整されても良い。例えば、端末デバイスのサービス伝送量の履歴に応じて、サービス量の閾値が大きく又は小さくなる。
【００７３】
選択可能で、上記の伝送データのサービスタイプは、多種の伝送データのサービスタイプを含む。即ち、以上のように、本願の実施例におけるスケジューリング要求情報は、端末デバイスが要求する多種の伝送データのサービスタイプを示す。例えば、スケジューリング要求情報が２ビット又は複数のビットである場合、スケジューリング要求情報は、多種の伝送データのサービスタイプ及びそれに対応するリソース量の大きさを示す。
【００７４】
本願の実施例において、スケジューリング要求情報は、多種の伝送データのサービスタイプを示すことで、ネットワークデバイスは、上りリソースを柔軟に割り当て、スケジューリング要求情報の柔軟性を向上させることができる。
【００７５】
選択可能で、前記上りリソース許可情報は、動的優先度指示情報を含み、前記動的優先度指示情報は、少なくとも１つの論理チャンネルの優先度情報を示し、前記少なくとも１つの論理チャンネルは、異なるサービスタイプのデータをそれぞれ搬送するために用いられ、前記端末デバイスが前記上りリソース許可情報に応じて、前記ターゲット上りリソースを利用してデータを伝送することは、前記端末デバイスが前記少なくとも１つの論理チャンネルの優先度情報に基づいて、前記ターゲット上りリソースを利用して論理チャンネルに搬送されるデータを伝送することを含む。
【００７６】
本願の実施例において、上りリソース許可情報に動的優先度指示情報が含まれて、少なくとも１つの論理チャンネルの優先度情報を示し、当該少なくとも１つの論理チャンネルがサービスタイプのデータの搬送に割り当て、端末デバイスは、当該優先度情報に基づいて、割り当てたターゲット上りリソースを利用して、対応するサービスタイプのデータが搬送される論理チャンネルを伝送し、上りリソース許可情報のスケジューリングの柔軟性、伝送上りリソースの効率を向上させる。
【００７７】
上記の動的スケジューリング情報は、複数の論理チャンネルの優先度情報を示し、複数の論理チャンネルを割り当て異なるサービスタイプのデータを搬送するため、上記の複数の論理チャンネルの優先度情報は、対応する複数のサービスタイプのデータを伝送する優先度情報と理解されても良い。
【００７８】
１つの例として、上記の少なくとも１つの論理チャンネルの優先度情報は、最高の優先度の論理チャンネルを示す。例えば、上記の動的優先度指示情報の実現方式において、１つの優先度（ｐｒｉｏｒｉｔｙ）パラメータが構成される。優先度パラメータの値は、異なる論理チャンネルで示す。例えば、優先度パラメータのパラメータ値は、ＵＲＬＬＣサービスが搬送される論理チャンネルを示す場合、端末デバイスが当該論理チャンネルに最高の優先度を設定し、ターゲット上りリソースにおいて当該論理チャンネルを伝送する。
【００７９】
他の１つの例として、上記の少なくとも１つの論理チャンネルの優先度は、複数の論理チャンネルの優先度の順番を示す。例えば、優先度パラメータテーブルを構成する。優先度パラメータテーブルのパラメータ値は、異なる論理チャンネルで示す。複数の論理チャンネルの優先度の順番は、論理チャンネルの標示を利用して当該優先度パラメータテーブル内の順番により確定する。例えば、０００１が論理チャンネル１を示し、０００２が論理チャンネル２を示し、０００１が０００２の前に位置する場合、０００１に対応する論理チャンネルの優先度は、０００２に対応する論理チャンネルの優先度よりも高く、端末デバイスは、スケジューリング論理チャンネル０００１のサービスを優先してターゲット上りリソースにおいて伝送する。
【００８０】
他の１つの例として、上記の動的優先度指示情報の実現方式において、１つの優先度のマッピングテーブルを構成し、優先度マッピングテーブルにマッピング標示が含まれ、各マッピング標示が１つの論理チャンネルに対応する。当該優先度マッピングテーブルのパラメータは、異なるマッピング標示により示す。例えば、マッピング標示は、ネットワーク上位レイヤシグナリングに構成され、例えば、「０」が論理チャンネル０００１にマッピングし、「１」が論理チャンネル０００２にマッピングし、これに準じて類推する。
【００８１】
選択可能で、少なくとも１つの論理チャンネルの優先度情報は、動的に構成されたものである。つまり、本願の実施例において、ネットワークデバイスは、現在のネットワーク状況又は他の要因に基づいて、動的に、柔軟に論理チャンネルの優先度情報を示して、上りリソース伝送の柔軟性を向上させる。
【００８２】
選択可能で、端末デバイスは、ネットワークデバイスから上りリソース許可情報を受信した後、上りリソース許可情報に動的優先度指示情報が含まれるかどうかをチェックする。含まれる場合、端末デバイスは、動的優先度指示情報に基づいて、対応する論理チャンネルを伝送する。含まれない場合、端末デバイスは、所定の規則に基づいて、論理チャンネルに搬送されるデータを伝送する。例えば、所定の論理チャンネルの優先度（ＬＣＰ：Ｌｏｇｉｃａｌ  Ｃｈａｎｎｅｌ  Ｐｒｉｏｒｉｔｉｚａｔｉｏｎ）規則に基づいて、対応する論理チャンネルを伝送する。
【００８３】
以下は本願の実施例におけるデータ伝送方法２００を説明し、方法２００はネットワークデバイスにより実行され、方法２００は、Ｓ２０１〜Ｓ２０２を含む。
【００８４】
Ｓ２０１において、ネットワークデバイスが端末デバイスからスケジューリング要求情報を受信し、前記スケジューリング要求情報は、前記端末デバイスの伝送データのサービスタイプ、前記端末デバイスが要する上りリソースのリソース量の大きさ、又は前記端末デバイスがサポートするベースパラメータセットタイプを含む。
【００８５】
Ｓ２０２において、前記端末デバイスが前記上りリソース許可情報に応じて前記ターゲット上りリソースを利用してデータを伝送するように、前記ネットワークデバイスが前記端末デバイスに上りリソース許可情報を送信し、前記上りリソース許可情報は、前記端末デバイスに割り当てるターゲット上りリソースを示し、前記上りリソース許可情報は、前記スケジューリング要求情報に基づいて確定されたものである。
【００８６】
本願の実施例において、ネットワークデバイスが端末デバイスから受信したスケジューリング要求情報には、端末デバイスの伝送データのサービスタイプ、端末デバイスが要する上りリソースのリソース量の大きさ、又は端末デバイスがサポートするベースパラメータセットタイプが含まれ、ネットワークデバイスは、スケジューリング要求情報に基づいて、端末デバイスにターゲット上りリソースを適当に割り当て、上りリソースの割り当ての効率を向上させる。
【００８７】
選択可能で、異なるタイプの端末デバイスが送信するスケジューリング要求情報のタイプは、相違する。
【００８８】
選択可能で、前記スケジューリング要求情報のタイプは、前記端末デバイスの伝送データのサービスタイプ又は前記端末デバイスがサポートするベースパラメータタイプを示し、さらに、前記ネットワークデバイスが前記スケジューリング要求情報のタイプに基づいて、前記端末デバイスの伝送データのサービスタイプ又は前記端末デバイスがサポートするベースパラメータタイプを確定することを含む。
【００８９】
選択可能で、前記ネットワークデバイスが前記スケジューリング要求情報のタイプに基づいて、前記端末デバイスの伝送データのサービスタイプ又は前記端末デバイスがサポートするベースパラメータタイプを確定することは、前記ネットワークデバイスが前記スケジューリング要求情報のビット数に基づいて、前記端末デバイスの伝送データのサービスタイプ又は前記端末デバイスがサポートするベースパラメータタイプを確定することを含む。
【００９０】
選択可能で、前記スケジューリング要求情報のビット数は、端末デバイスの異なる伝送データのサービスタイプ又は前記端末デバイスがサポートする異なるベースパラメータタイプを示す。
【００９１】
選択可能で、前記伝送データのサービスタイプは、多種の伝送データのサービスタイプを含む。
【００９２】
選択可能で、前記上りリソース許可情報は、動的優先度指示情報を含み、前記動的優先度指示情報は、少なくとも１つの論理チャンネルの優先度情報を示し、前記少なくとも１つの論理チャンネルは、異なるサービスタイプのデータをそれぞれ搬送するために用いられる。
【００９３】
選択可能で、前記少なくとも１つの論理チャンネルの優先度情報は、動的に構成されたものである。
【００９４】
図４は本願の実施例におけるデータ伝送方法３００の模式図である。図４に示すように、方法３００は、Ｓ３０１〜Ｓ３０２を含む。
【００９５】
Ｓ３０１において、端末デバイスがネットワークデバイスにより送信された上りリソース許可情報を受信し、前記上りリソース許可情報は、前記端末デバイスに割り当てるターゲット上りリソースを示し、前記上り許可情報は、動的優先度指示情報を含み、前記動的優先度指示情報は、少なくとも１つの論理チャンネルの優先度情報を示し、前記少なくとも１つの論理チャンネルは、異なるサービスタイプのデータをそれぞれ搬送するために用いられる。
【００９６】
Ｓ３０２において、前記端末デバイスが前記少なくとも１つの論理チャンネルの優先度情報に基づいて、前記ターゲット上りリソースを利用して論理チャンネルに搬送されるデータを伝送する。
【００９７】
本願の実施例において、上りリソース許可情報に動的優先度指示情報が含まれて、少なくとも１つの論理チャンネルの優先度情報を示し、当該少なくとも１つの論理チャンネルに異なるサービスタイプのデータが搬送され、これによって、端末デバイスは、当該優先度情報に基づいて、割り当てたターゲット上りリソースを利用してサービスタイプのデータが搬送される論理チャンネルを伝送し、上りリソース許可情報のスケジューリングの柔軟性を向上させ、伝送上りリソースの効率を向上する。
【００９８】
選択可能で、前記少なくとも１つの論理チャンネルの優先度情報は、動的に構成されたものである。
【００９９】
以下は本願の実施例におけるデータ伝送方法４００を説明し、方法４００がネットワークデバイスにより実行され、方法４００は、Ｓ４０１を含む。
【０１００】
Ｓ４０１において、前記端末デバイスが前記ターゲット上りリソースを利用して論理チャンネルに搬送されるデータを伝送するように、ネットワークデバイスが端末デバイスに上りリソース許可情報を送信し、前記上りリソース許可情報は、前記端末デバイスに割り当てるターゲット上りリソースを示し、前記上り許可情報は、動的優先度指示情報を含み、前記動的優先度指示情報は、少なくとも１つの論理チャンネルの優先度情報を示し、前記少なくとも１つの論理チャンネルは、異なるサービスタイプのデータをそれぞれ搬送するために用いられる。
【０１０１】
本願の実施例において、上りリソース許可情報に動的優先度指示情報が含まれて、少なくとも１つの論理チャンネルの優先度情報を示し、当該少なくとも１つの論理チャンネルに異なるサービスタイプのデータが搬送され、これによって、端末デバイスは、当該優先度情報に基づいて、割り当てたターゲット上りリソースを利用してサービスタイプのデータが搬送される論理チャンネルを伝送し、上りリソース許可情報のスケジューリングの柔軟性を向上させ、伝送上りリソースの効率を向上する。
【０１０２】
選択可能で、前記少なくとも１つの論理チャンネルの優先度情報は、動的に構成されたものである。
【０１０３】
以上、図１〜図４は本発明の実施例におけるデータ伝送方法を説明した。以下、図５〜図１２を参照し、本発明の実施例における装置を説明する。
【０１０４】
図５は本発明の実施例における端末デバイス５００のブロック図を示す。端末デバイス５００は、図１〜図３の端末デバイスが実行するステップを実現することができる。端末デバイス５００は、処理ユニット５１０及び通信ユニット５２０を含む。
【０１０５】
前記処理ユニット５１０は、前記通信ユニット５２０でネットワークデバイスにスケジューリング要求情報を送信し、前記通信ユニット５２０で前記ネットワークデバイスから上りリソース許可情報を受信し、前記上りリソース許可情報に基づいて、前記通信ユニット５２０で前記ターゲット上りリソースを利用してデータを伝送するように構成され、前記スケジューリング要求情報は、前記端末デバイスの伝送データのサービスタイプ、前記端末デバイスが要する上りリソースのリソース量の大きさ、又は前記端末デバイスがサポートするベースパラメータセットタイプを含み、前記上りリソース許可情報は、前記端末デバイスに割り当てるターゲット上りリソースを示し、前記上りリソース許可情報は、前記スケジューリング要求情報に基づいて確定されたものである。
【０１０６】
選択可能で、前記スケジューリング要求情報のタイプは、前記端末デバイスの伝送データのサービスタイプ又は前記端末デバイスがサポートするベースパラメータタイプを示し、前記処理ユニット５１０は、さらに、前記通信ユニット５２０でネットワークデバイスにスケジューリング要求情報を送信する前に、前記端末デバイスの伝送データのサービスタイプ又は前記端末デバイスがサポートするベースパラメータタイプに基づいて、前記スケジューリング要求情報のタイプを確定するように構成される。
【０１０７】
選択可能で、前記異なるタイプの端末デバイスは、前記スケジューリング要求情報のタイプを確定することは、前記処理ユニット５１０が前記端末デバイスの伝送データのサービスタイプ又は前記端末デバイスがサポートするベースパラメータタイプに基づいて、前記スケジューリング要求情報のビット数を確定することを含む。
【０１０８】
選択可能で、前記伝送データのサービスタイプは、多種の伝送データのサービスタイプを含む。
【０１０９】
選択可能で、前記上りリソース許可情報は、動的優先度指示情報を含み、前記動的優先度指示情報は、少なくとも１つの論理チャンネルの優先度情報を示し、前記少なくとも１つの論理チャンネルは、異なるサービスタイプのデータをそれぞれ搬送するために用いられ、前記上りリソース許可情報に基づいて、前記ターゲット上りリソースを使用してデータを伝送することは、前記処理ユニット５１０が前記少なくとも１つの論理チャンネルの優先度情報に基づいて、前記通信ユニット５２０で前記ターゲット上りリソースを利用して論理チャンネルに搬送されるデータを伝送することを含む。
【０１１０】
選択可能で、前記少なくとも１つの論理チャンネルの優先度情報は、動的に構成されたものである。
【０１１１】
図６は本発明の実施例におけるネットワークデバイス６００のブロック図である。ネットワークデバイス６００は、図１〜図３のネットワークデバイスが実行するステップを実現することができる。ネットワークデバイス６００は、処理ユニット６１０及び通信ユニット６２０を含む。
【０１１２】
前記処理ユニット６１０は、前記通信ユニット６２０で端末デバイスからスケジューリング要求情報を受信し、前記端末デバイスが前記上りリソース許可情報に応じて前記ターゲット上りリソースを利用してデータを伝送するように、前記通信ユニット６２０で前記端末デバイスに上りリソース許可情報を送信するように構成され、前記スケジューリング要求情報は、前記端末デバイスの伝送データのサービスタイプ、前記端末デバイスが要する上りリソースのリソース量の大きさ、又は前記端末デバイスがサポートするベースパラメータセットタイプを含み、前記上りリソース許可情報は、前記端末デバイスに割り当てるターゲット上りリソースを示し、前記上りリソース許可情報は、前記スケジューリング要求情報に基づいて確定されたものである。
【０１１３】
選択可能で、前記スケジューリング要求情報のタイプは、前記端末デバイスの伝送データのサービスタイプ又は前記端末デバイスがサポートするベースパラメータタイプを示し、前記処理ユニット６１０は、さらに、前記スケジューリング要求情報のタイプに基づいて、前記端末デバイスの伝送データのサービスタイプ又は前記端末デバイスがサポートするベースパラメータタイプを確定するように構成される。
【０１１４】
選択可能で、前記スケジューリング要求情報のタイプに基づいて、前記端末デバイスの伝送データのサービスタイプ又は前記端末デバイスがサポートするベースパラメータタイプを確定することは、前記処理ユニット６１０が前記スケジューリング要求情報のビット数に基づいて、前記端末デバイスの伝送データのサービスタイプ又は前記端末デバイスがサポートするベースパラメータタイプを確定するように構成される。
【０１１５】
選択可能で、前記伝送データのサービスタイプは、多種の伝送データのサービスタイプを含む。
【０１１６】
選択可能で、前記上りリソース許可情報は、動的優先度指示情報を含み、前記動的優先度指示情報は、少なくとも１つの論理チャンネルの優先度情報を示し、前記少なくとも１つの論理チャンネルは、異なるサービスタイプのデータをそれぞれ搬送するために用いられる。
【０１１７】
選択可能で、前記少なくとも１つの論理チャンネルの優先度情報は、動的に構成されたものである。
【０１１８】
図７は本発明の実施例における端末デバイス７００のブロック図である。端末デバイス７００は、図４の端末デバイスが実行するステップを実現することができる。端末デバイス７００は、処理ユニット７１０及び通信ユニット７２０を含む。
【０１１９】
前記処理ユニット７１０は、前記通信ユニット７２０でネットワークデバイスにより送信された上りリソース許可情報を受信し、前記少なくとも１つの論理チャンネルの優先度情報に基づいて、前記通信ユニット７２０で前記ターゲット上りリソースを利用して論理チャンネルに搬送されるデータを伝送するように構成され、前記上りリソース許可情報は、前記端末デバイスに割り当てるターゲット上りリソースを示し、前記上り許可情報は、動的優先度指示情報を含み、前記動的優先度指示情報は、少なくとも１つの論理チャンネルの優先度情報を示し、前記少なくとも１つの論理チャンネルは、異なるサービスタイプのデータをそれぞれ搬送するために用いられる。
【０１２０】
選択可能で、前記少なくとも１つの論理チャンネルの優先度情報は、動的に構成されたものである。
【０１２１】
図８は本発明の実施例におけるネットワークデバイス８００のブロック図を示す。ネットワークデバイス８００は、図４のネットワークデバイスが実行するステップを実現することができる。ネットワークデバイス８００は、処理ユニット８１０及び通信ユニット８２０を含む。
【０１２２】
前記処理ユニット８１０は、前記端末デバイスが前記ターゲット上りリソースを利用して論理チャンネルに搬送されるデータを伝送するように、前記通信ユニット８２０で端末デバイスに上りリソース許可情報を送信するように構成され、前記上りリソース許可情報は、前記端末デバイスに割り当てるターゲット上りリソースを示し、前記上り許可情報は、動的優先度指示情報を含み、前記動的優先度指示情報は、少なくとも１つの論理チャンネルの優先度情報を示し、前記少なくとも１つの論理チャンネルは、異なるサービスタイプのデータをそれぞれ搬送するために用いられる。
【０１２３】
選択可能で、前記少なくとも１つの論理チャンネルの優先度情報は、動的に構成されたものである。
【０１２４】
図９は端末デバイス９００のブロック図を示す。端末デバイス９００は、図１〜図３の端末デバイスが実行するステップを実現することができる。端末デバイス９００は、メモリ９１０、送受信機９２０及びプロセッサ９３０を含み、
メモリ９１０は、プログラムを記憶し、
送受信機９２０は、他のデバイスと通信し、
プロセッサ９３０は、メモリ９１０に記憶されたプログラムを実行し、前記プログラムが実行される場合、前記プロセッサ９３０は、前記送受信機９２０でネットワークデバイスにスケジューリング要求情報を送信し、前記送受信機９２０で前記ネットワークデバイスから上りリソース許可情報を受信し、前記上りリソース許可情報に基づいて、前記送受信機９２０で前記ターゲット上りリソースを利用してデータを伝送するように構成され、前記スケジューリング要求情報は、前記端末デバイスの伝送データのサービスタイプ、前記端末デバイスが要する上りリソースのリソース量の大きさ、又は前記端末デバイスがサポートするベースパラメータセットタイプを含み、前記上りリソース許可情報は、前記端末デバイスに割り当てるターゲット上りリソースを示し、前記上りリソース許可情報は、前記スケジューリング要求情報に基づいて確定されたものである。
【０１２５】
選択可能で、前記スケジューリング要求情報のタイプは、前記端末デバイスの伝送データのサービスタイプ又は前記端末デバイスがサポートするベースパラメータタイプを示し、前記プロセッサ９３０は、さらに、前記送受信機９２０でネットワークデバイスにスケジューリング要求情報を送信する前に、前記端末デバイスの伝送データのサービスタイプ又は前記端末デバイスがサポートするベースパラメータタイプに基づいて、前記スケジューリング要求情報のタイプを確定するように構成される。
【０１２６】
選択可能で、前記異なるタイプの端末デバイスにおいて、前記スケジューリング要求情報のタイプを確定することは、前記プロセッサ９３０が前記端末デバイスの伝送データのサービスタイプ又は前記端末デバイスがサポートするベースパラメータタイプに基づいて、前記スケジューリング要求情報のビット数を確定するように構成される。
【０１２７】
選択可能で、前記伝送データのサービスタイプは、多種の伝送データのサービスタイプを含む。
【０１２８】
選択可能で、前記上りリソース許可情報は、動的優先度指示情報を含み、前記動的優先度指示情報は、少なくとも１つの論理チャンネルの優先度情報を示し、前記少なくとも１つの論理チャンネルは、異なるサービスタイプのデータをそれぞれ搬送するために用いられ、前記上りリソース許可情報に基づいて、前記ターゲット上りリソースを使用してデータを伝送することは、前記プロセッサ９３０が前記少なくとも１つの論理チャンネルに優先度情報に基づいて、前記送受信機９２０で前記ターゲット上りリソースを利用して論理チャンネルに搬送されるデータを伝送するように構成される。
【０１２９】
選択可能で、前記少なくとも１つの論理チャンネルの優先度情報は、動的に構成されたものである。
【０１３０】
図１０は本発明の実施例におけるネットワークデバイス１０００のブロック図を示す。ネットワークデバイス１０００は、図１〜図３のネットワークデバイスが実行するステップを実現することができる。ネットワークデバイス１０００は、メモリ１０１０、送受信機１０２０及びプロセッサ１０３０を含み、
メモリ１０１０は、プログラムを記憶し、
送受信機１０２０は、他のデバイスと通信し、
プロセッサ１０３０は、メモリ１０１０に記憶されたプログラムを実行し、前記プログラムが実行される場合、前記プロセッサ１０３０は、前記送受信機１０２０で端末デバイスからスケジューリング要求情報を受信し、前記端末デバイスが前記上りリソース許可情報に応じて前記ターゲット上りリソースを利用してデータを伝送するように、前記送受信機１０２０で前記端末デバイスに上りリソース許可情報を送信するように構成され、前記スケジューリング要求情報は、前記端末デバイスの伝送データのサービスタイプ、前記端末デバイスが要する上りリソースのリソース量の大きさ、又は前記端末デバイスがサポートするベースパラメータセットタイプを含み、前記上りリソース許可情報は、前記端末デバイスに割り当てるターゲット上りリソースを示し、前記上りリソース許可情報は、前記スケジューリング要求情報に基づいて確定されたものである。
【０１３１】
選択可能で、前記スケジューリング要求情報のタイプは、前記端末デバイスの伝送データのサービスタイプ又は前記端末デバイスがサポートするベースパラメータタイプを示し、前記プロセッサ１０３０は、さらに、前記スケジューリング要求情報のタイプに基づいて、前記端末デバイスの伝送データのサービスタイプ又は前記端末デバイスがサポートするベースパラメータタイプを確定するように構成される。
【０１３２】
選択可能で、前記スケジューリング要求情報のタイプに基づいて、前記端末デバイスの伝送データのサービスタイプ又は前記端末デバイスがサポートするベースパラメータタイプを確定することは、前記プロセッサ１０３０が前記スケジューリング要求情報のビット数に基づいて、前記端末デバイスの伝送データのサービスタイプ又は前記端末デバイスがサポートするベースパラメータタイプを確定するように構成される。
【０１３３】
選択可能で、前記伝送データのサービスタイプは、多種の伝送データのサービスタイプを含む。
【０１３４】
選択可能で、前記上りリソース許可情報は、動的優先度指示情報を含み、前記動的優先度指示情報は、少なくとも１つの論理チャンネルの優先度情報を示し、前記少なくとも１つの論理チャンネルは、異なるサービスタイプのデータをそれぞれ搬送するために用いられる。
【０１３５】
選択可能で、前記少なくとも１つの論理チャンネルの優先度情報は、動的に構成されたものである。
【０１３６】
図１１は本発明の実施例における端末デバイス１１００のブロック図を示す。端末デバイス１１００は、図４の端末デバイスが実行するステップを実現することができる。端末デバイス１１００は、メモリ１１１０、送受信機１１２０及びプロセッサ１１３０を含み
メモリ１１１０は、プログラムを記憶し、
送受信機１１２０は、他のデバイスと通信し、
プロセッサ１１３０は、メモリ１１１０に記憶されたプログラムを実行し、前記プログラムが実行される場合、前記プロセッサ１１３０は、前記送受信機１１２０でネットワークデバイスにより送信された上りリソース許可情報を受信し、前記少なくとも１つの論理チャンネルの優先度情報に基づいて、前記送受信機１１２０で前記ターゲット上りリソースを利用して論理チャンネルに搬送されるデータを伝送するように構成され、前記上りリソース許可情報は、前記端末デバイスに割り当てるターゲット上りリソースを示し、前記上り許可情報は、動的優先度指示情報を含み、前記動的優先度指示情報は、少なくとも１つの論理チャンネルの優先度情報を示し、前記少なくとも１つの論理チャンネルは、異なるサービスタイプのデータをそれぞれ搬送するために用いられる。
【０１３７】
選択可能で、前記少なくとも１つの論理チャンネルの優先度情報は、動的に構成されたものである。
【０１３８】
図１２は本発明の実施例におけるネットワークデバイス１２００のブロック図を示す。ネットワークデバイス１２００は、図４のネットワークデバイスが実行するステップを実現することができる。ネットワークデバイス１２００は、メモリ１２１０、送受信機１２２０及びプロセッサ１２３０を含み、
メモリ１２１０は、プログラムを記憶し、
送受信機１２２０は、他のデバイスと通信し、
プロセッサ１２３０は、メモリ１２１０に記憶されたプログラムを実行し、前記プログラムが実行される場合、前記プロセッサ１２３０は、前記端末デバイスが前記ターゲット上りリソースを利用して論理チャンネルに搬送されるデータを伝送するように、前記送受信機１２２０で端末デバイスに上りリソース許可情報を送信し、前記上りリソース許可情報は、前記端末デバイスに割り当てるターゲット上りリソースを示し、前記上り許可情報は、動的優先度指示情報を含み、前記動的優先度指示情報は、少なくとも１つの論理チャンネルの優先度情報を示し、前記少なくとも１つの論理チャンネルは、異なるサービスタイプのデータをそれぞれ搬送するために用いられる。
【０１３９】
選択可能で、前記少なくとも１つの論理チャンネルの優先度情報は、動的に構成されたものである。
【０１４０】
本願に開示されている実施例に説明されている各例示的なユニット及びアルゴリズムのステップを結合し、電子ハードウェア、又はコンピュータソフトウェアと電子ハードウェアの結合を用いて実現することができると、当業者であれば理解できる。これらの機能がハードウェアの形式かそれともソフトウェアの形式で実施するかについては、技術案の特定応用と設計制約によるものである。当業者は、各特定応用に応じて異なる方法を用いて、説明されている機能を実現することができるが、このような実現は本発明の範囲を超えていると見なすべきではない。
【０１４１】
当業者は、上記のシステム、装置及びユニットの具体的な動作過程が、上記の方法の実施例に対する過程を参照されると理解され、ここで説明を省略する。
【０１４２】
本発明に提供されている幾つかの実施例において、開示されているシステム、装置及び方法は、その他の方式で実現されても良い。例えば、上記に記載されている装置の実施例は単なる例示的なものに過ぎず、例えば、前記ユニットの分け方が、単なるロジック的な機能分けであり、実際、実現する時に他の分け方があっても良く、例えば、複数のユニット又はコンポーネントを別のシステムへ統合、又は集成しても良く、又は幾つかの技術特徴を省略、又は実施しなくても良い。また、明示され、又は議論されている各構成部分の互い的なカップリング、又は直接のカップリング、又は通信接続は、幾つかのインターフェース、装置、又はユニットの間接のカップリング又は通信によって接続されても良く、電気的、機械的、又はその他の形式であっても良い。
【０１４３】
上記で分離コンポーネントとして説明したユニットは、物理的に分離されるものであっても良く、そうではないものであっても良い。ユニットとして示されるコンポーネントは物理ユニットであっても良く、そうではないものであっても良い。一箇所に配置されても良く、複数のネットワークユニットに配布しても良い。実際のニーズに応じて、その中の一部又は全部のユニットを選択して本実施例の技術案の目的を実現しても良い。
【０１４４】
また、本発明の各実施例における各機能ユニットは、一つの処理ユニットに統合しても良く、各ユニットはそれぞれ単独なユニットとしても良く、二つ又は二つ以上のユニットを一つのユニットに統合しても良い。
【０１４５】
前記機能は、ソフトウェア機能ユニットの方式で実現し、しかも独立な製品として販売又は使用する場合、コンピュータ読み取り可能の記憶媒体に記憶しても良い。これによって、本発明の技術案が事実上、言い換えれば先行技術に貢献した部分がソフトウェア製品の形で具現でき、該コンピュータソフトウェア製品は記憶媒体に記憶され、コンピュータ装置（パソコン、サーバ、またはネットワーク装置などであっても良い）に本発明の各実施例の全部または一部の前記方法を実行させための複数の命令を含む。上記の記憶媒体は、ＵＳＢメモリ、移動記憶媒体、読み取り専用メモリ（ＲＯＭ：Ｒｅａｄ−Ｏｎｌｙ  Ｍｅｍｏｒｙ）、ランダムアクセス記憶装置（ＲＡＭ：Ｒａｎｄｏｍ  Ａｃｃｅｓｓ  Ｍｅｍｏｒｙ）、磁気ディスク又はコンパクトディスクなどの各種のプログラムコードが記憶できる媒体を含む。
【０１４６】
上記に記載されているのは、単なる本発明の具体的な実施形態に過ぎず、本発明はそれに限らず、当業者が本発明に開示されている範囲内において、容易に想到し得る変形又は入れ替えは、全て本発明の範囲内に含まれるべきである。そのため、本発明の範囲は、記載されている特許請求の範囲に準じるべきである。
【図１】
0006938643.tif 000002
【図２】
0006938643.tif 000003
【図３】
0006938643.tif 000004
【図４】
0006938643.tif 000005
【図５】
0006938643.tif 000006
【図６】
0006938643.tif 000007
【図７】
0006938643.tif 000008
【図８】
0006938643.tif 000009
【図９】
0006938643.tif 000010
【図１０】
0006938643.tif 000011
【図１１】
0006938643.tif 000012
【図１２】
0006938643.tif 000013